(57)【要約】【課題】構造が簡単で薄型とすることができるリアプロジェクションユニットを提供することである。【解決手段】筐体内に収納されたプロジェクタ１２から投射される画像情報を含む光束をスクリーン１３に投影する複数個のリアプロジェクション１１を縦方向または横方向に配置し、投射するプロジェクタ１２と投射されるスクリーン１３とは異なる筐体に実装し、プロジェクタ１２は異なる筐体のスクリーン１３に画像情報を投射する。これにより、筐体内に反射ミラーを設けなくても投影距離を大きくし筐体を薄型とする。【選択図】  図１
2004361751.tif 000002
【特許請求の範囲】
【請求項１】
筐体内に収納され画像情報を含む光束を出射可能に構成されているプロジェクタと、前記筐体の前面側に設けられ前記プロジェクタから投射される光束を投影するスクリーンとを備えた複数個のリアプロジェクションを縦方向または横方向に配置し；
投射するプロジェクタと投射されるスクリーンとは異なる筐体に実装し；
前記プロジェクタは異なる筐体のスクリーンに光束を投射することを特徴とするリアプロジェクションユニット。
【請求項２】
前記プロジェクタからの投射方向を縦方向または横方向に対称としたことを特徴とする請求項１記載のリアプロジェクションユニット。
【請求項３】
複数個のリアプロジェクションの配置において、前記リアプロジェクションのプロジェクタの設置位置と対面する対向面部が互いに接合した箇所を有することを特徴とする請求項１記載のリアプロジェクションユニット。
【発明の詳細な説明】
【０００１】
【発明の属する技術分野】本発明は、複数台のリアプロジェクションを組み合わせて構成されるリアプロジェクションユニットに関する。
【０００２】
【従来の技術】一般に、リアプロジェクションは、筐体内に画像情報を含む光束を出射するプロジェクタを配置すると共に、そのプロジェクタからの光束を透光性のスクリーンの背面に投影して画像情報を表示するものである。このようなリアプロジェクションにおいては、特に奥行き寸法を薄くすることが要請されており、プロジェクタからの投写距離が長い場合においても筐体内に反射ミラーを配置することで奥行き寸法を薄くするようにしている。
【０００３】
さらに、スクリーンの背面に入光する打ち上げ角度を高くできるように高屈折能力を有したスクリーンを設け、リアプロジェクションの奥行き寸法を薄くしたものがある（例えば、特許文献１参照）。また、プロジェクタから発した光束を反射する平面ミラーを筐体内の上面側に配置し、光束の打ち上げ角度を大きくし、スクリーン画面上での迷光（ゴースト）を防止すると共に装置本体を小型化したものがある（例えば、特開２００２−２０７１９０号公報）。
【０００４】
【特許文献１】特開２００３−５２７５号公報（図１、図２）
【０００５】
【特許文献２】特開２００２−２０７１９０号公報（図１）
【０００６】
【発明が解決しようとする課題】しかしながら、従来のものでは、同一筐体にプロジェクタとスクリーンとを実装しているので、大きさの限られた筐体内に与えられた投影距離（光路）を配置しなければならない。従って、反射ミラーの構造も複雑となる。
【０００７】
本発明の目的は、構造が簡単で薄型とすることができるリアプロジェクションユニットを提供することである。
【０００８】
【課題を解決するための手段】請求項１の発明に係わるリアプロジェクションユニットは、筐体内に収納されたプロジェクタと、前記プロジェクタから投射される画像情報を含む光束を投影するスクリーンとを備えた複数個のリアプロジェクションを縦方向または横方向に配置し；投射するプロジェクタと投射されるスクリーンとは異なる筐体に実装し；前記プロジェクタは異なる筐体のスクリーンに画像情報を投射することを特徴とするものである。
【０００９】
本発明及び以下の発明において、特に指定しない限り用語の定義及び技術的意味は以下による。リアプロジェクションユニットは、複数個のプロジェクションを縦方向または横方向に配置して、全体としてのスクリーンサイズを大きくし、屋内等において文字や図形等の画像情報を表示するものである。プロジェクションは筐体の前面部にスクリーンを有し、筐体内にプロジェクタを収納して構成される。この場合、出射するプロジェクタと投射されるスクリーンとは異なる筐体に実装する。従って、各々のプロジェクションのプロジェクタは、画像情報を含む光束を自己とは異なる別のプロジェクションのスクリーンに投影することになる。
【００１０】
また、複数個のプロジェクションを縦方向または横方向に配置する際には、プロジェクタが配置された位置を考慮して、プロジェクタの位置を下にしたり、横にしたり、上にしたりして、投影するスクリーンに応じてプロジェクションを配置する。
【００１１】
本発明によれば、各々のプロジェクションのプロジェクタは、画像情報を含む光束を自己とは異なる別のプロジェクションのスクリーンに投影するので、筐体内に反射ミラーを設けなくても投影距離を大きくすることができる。
【００１２】
請求項２の発明に係わるリアプロジェクションユニットは、請求項１の発明において、前記プロジェクタからの投射方向を縦方向または横方向に対称としたことを特徴とするものである。
【００１３】
縦方向に配列された複数個のプロジェクションは、プロジェクションユニット全体として見た場合に、プロジェクタからの投射方向が上下で対称となるように画像情報を別のプロジェクションのスクリーンに投影する。同様に、横方向に配列された複数個のプロジェクションは、プロジェクションユニット全体として見た場合に、プロジェクタからの投射方向が左右で対称となるように画像情報を別のプロジェクションのスクリーンに投影する。
【００１４】
本発明によれば、プロジェクタからの投射方向を縦方向または横方向に対称とするので、プロジェクションユニット全体として見た場合に、バランスのとれた画像表示とすることができる。
【００１５】
請求項３の発明に係わるリアプロジェクションユニットは、請求項１の発明において、複数個のリアプロジェクションの配置において、前記リアプロジェクションのプロジェクタの設置位置と対面する対向面部が互いに接合した箇所を有することを特徴とするものである。
【００１６】
本発明は、プロジェクションユニット全体として見た場合に、リアプロジェクションのプロジェクタの設置位置と対面する対向面部が互いに接合して配置する箇所を必ず有するようにアプロジェクションを配置するようにしたものである。
【００１７】
本発明によれば、リアプロジェクションのプロジェクタの設置位置と対面する対向面部が互いに接合して配置するので、対面するリアプロジェクションのプロジェクタは互いに遠い位置になり対称性を保ちながら投影距離を大きくすることができる。
【００１８】
【発明の実施の形態】（第１の実施の形態））図１は本発明の第１の実施の形態に係わるリアプロジェクションユニットの説明図であり、図１（ａ）は正面図、図１（ｂ）は側面図である。この第１の実施の形態は４個のリアプロジェクション１１Ａ〜１１Ｄを縦方向に２個および横方向に２個配置して形成し、プロジェクタ１２Ａ〜１２Ｄは縦方向の異なる筐体のスクリーン１３Ａ〜１３Ｄに投影する場合を示している。
【００１９】
図１（ａ）において、各々のリアプロジェクション１１Ａ〜１１Ｄには、筐体内に画像情報を含む光束を出射するためのプロジェクタ１２Ａ〜１２Ｄが設けられ、また、筐体の前面側にはプロジェクタ１２Ａ〜１２Ｄから投射される画像情報を含む光束を投影するためのスクリーン１３Ａ〜１３Ｄが設けられている。
【００２０】
また、リアプロジェクション１１Ａのプロジェクタ１２Ａの設置位置と対面する対向面部１４Ａと、リアプロジェクション１１Ｂのプロジェクタ１２Ｂの設置位置と対面する対向面部１４Ｂとは互いに接合して配置されている。同様に、リアプロジェクション１１Ｃのプロジェクタ１２Ｃの設置位置と対面する対向面部１４Ｃと、リアプロジェクション１１Ｄのプロジェクタ１２Ｄの設置位置と対面する対向面部１４Ｄとが互いに接合して配置されている。
【００２１】
さらに、図１（ａ）の矢印で示すように、投射するプロジェクタ１２Ａ（１２Ｃ）、１２Ｂ（１２Ｄ）と、投射されるスクリーン１３Ｂ（１３Ｄ）、１３Ａ（１３Ｄ）とは、異なる筐体に実装される。また、プロジェクタ１２Ａ〜１２Ｄからの投射方向は縦方向に対称となっている。
【００２２】
すなわち、図１（ｂ）に示すように、リアプロジェクション１１Ｃ（１１Ａ）のプロジェクタ１２Ｃ（１２Ａ）は、リアプロジェクション１１Ｄ（１１Ｂ）のスクリーン１３Ｄ（１３Ｂ）に投影する。同様に、リアプロジェクション１１Ｄ（１１Ｂ）のプロジェクタ１２Ｄ（１２Ｂ）は、リアプロジェクション１１Ｃ（１１Ａ）のスクリーン１３Ｃ（１３Ａ）に投影する。
【００２３】
第１の実施の形態によれば、プロジェクタ１２Ａ〜１２Ｄは、縦方向の異なる筐体のスクリーン１３Ａ〜１３Ｄに投影するので、プロジェクタ１２Ａ〜１２Ｄからスクリーン１３Ａ〜１３Ｄまでの投影距離が長くなり、筐体を大きくしなくても映像情報を拡大できる。また、リアプロジェクション１１Ａ（１１Ｃ）のプロジェクタ１２Ａ（１２Ｃ）の設置位置と対面する対向面部１４Ａ（１４Ｃ）と、リアプロジェクション１１Ｂ（１１Ｄ）のプロジェクタ１２Ｂ（１２Ｄ）の設置位置と対面する対向面部１４Ｂ（１４Ｄ）とが互いに接合して配置されているので、対面するリアプロジェクション１１Ａ（１１Ｃ）、１１Ｂ（１１Ｄ）のプロジェクタ１２Ａ（１２Ｃ）、１２Ｂ（１２Ｄ）は互いに遠い位置になり対称性を保ちながら投影距離を大きくすることができる。また、プロジェクタ１２Ａ〜１２Ｄからの投射方向は縦方向に対称となっているので、プロジェクションユニット全体として見た場合に、バランスのとれた画像表示とすることができる。
【００２４】
次に、リアプロジェクション１１Ａ〜１１Ｄの筐体内でのプロジェクタ１２Ａ〜１２Ｄを配置する位置について説明する。図２はリアプロジェクション１１Ａ〜１１Ｄの筐体内でのプロジェクタ１２Ａ〜１２Ｄの配置位置の説明図である。図２では、リアプロジェクション１１Ｂを自己のリアプロジェクションとし、他のリアプロジェクション１１Ａ、１１Ｃ、１１Ｄとの関係で、そのプロジェクタ１２Ｂの配置について説明する。
【００２５】
図２（ａ）は、自己のリアプロジェクション１１Ｂのプロジェクタ１２Ｂから、自己のリアプロジェクション１１Ｂより上方向（縦方向）に位置する他のリアプロジェクション１１Ａのスクリーン１３Ａに投影する場合のプロジェクタ１２Ｂの配置位置を示している。プロジェクタ１２Ｂはリアプロジェクション１１Ｂの筐体の底面部に上向きに配置され、上方向に位置する他のリアプロジェクション１１Ａのスクリーン１３Ａに投影する。
【００２６】
図２（ｂ）は、自己のリアプロジェクション１１Ｂのプロジェクタ１２Ｂから、自己のリアプロジェクション１１Ｂより右方向（横方向）に位置する他のリアプロジェクション１１Ｄのスクリーン１３Ｄに投影する場合のプロジェクタ１２Ｂの配置位置を示している。プロジェクタ１２Ｂはリアプロジェクション１１Ｂの筐体の左面部に右向きに配置され、右方向に位置する他のリアプロジェクション１１Ｄのスクリーン１３Ｄに投影する。
【００２７】
図２（ｃ）は、自己のリアプロジェクション１１Ｂのプロジェクタ１２Ｂから、自己のリアプロジェクション１１Ｂより右上斜め方向（対角方向）に位置する他のリアプロジェクション１１Ｃのスクリーン１３Ｃに投影する場合のプロジェクタ１２Ｂの配置位置を示している。プロジェクタ１２Ｂはリアプロジェクション１１Ｂの筐体の左下隅部に右上斜め向きに配置され、右上斜め方向に位置する他のリアプロジェクション１１Ｃのスクリーン１３Ｃに投影する。同様に、自己のリアプロジェクション１１Ｂより左上斜め方向（対角方向）に位置する他のリアプロジェクションのスクリーンに投影する場合には、プロジェクタ１２Ｂをリアプロジェクション１１Ｂの筐体の右下隅部に左斜め向きに配置することになる。
【００２８】
ここで、図２（ａ）では自己のリアプロジェクション１１Ｂより上方向に位置する他のリアプロジェクション１１Ａのスクリーン１３Ａに投影する場合について説明したが、図２（ａ）のリアプロジェクション１１Ｂを１８０度回転させ上下反対にすれば、自己のリアプロジェクション１１Ｂより下方向に位置する他のリアプロジェクションのスクリーンに投影できる。
【００２９】
同様に、図２（ｂ）では自己のリアプロジェクション１１Ｂより右方向に位置する他のリアプロジェクション１１Ｄのスクリーン１３Ｄに投影する場合について説明したが、図２（ｂ）のリアプロジェクション１１Ｂを１８０度回転させ左右反対にすれば、自己のリアプロジェクション１１Ｂより左方向に位置する他のリアプロジェクションのスクリーンに投影できる。
【００３０】
また、図２（ｃ）では自己のリアプロジェクション１１Ｂより右上斜め方向や左上斜め方向に位置する他のリアプロジェクションのスクリーンに投影する場合について説明したが、リアプロジェクション１１Ｂを１８０度回転させ左右反対にすれば、自己のリアプロジェクション１１Ｂより右下斜め方向や左下斜め方向に位置する他のリアプロジェクションのスクリーンに投影できる。
【００３１】
（第２の実施の形態）図３は本発明の第２の実施の形態に係わるリアプロジェクションユニットの説明図である。この第２の実施の形態は、図１に示した第１の実施の形態に対し、縦方向の異なる筐体のスクリーン１３Ａ〜１３Ｄに投影するのに代えて、プロジェクタ１２Ａ〜１２Ｄは横方向の異なる筐体のスクリーン１３Ａ〜１３Ｄに投影するようにしたものである。
【００３２】
リアプロジェクション１１Ａ（１１Ｃ）のプロジェクタ１２Ａ（１２Ｃ）は、リアプロジェクション１１Ｃ（１１Ａ）のスクリーン１３Ｃ（１３Ａ）に投影する。同様に、リアプロジェクション１１Ｂ（１１Ｄ）のプロジェクタ１２Ｂ（１２Ｄ）は、リアプロジェクション１１Ｄ（１１Ｂ）のスクリーン１３Ｄ（１３Ｂ）に投影する。
【００３３】
また、リアプロジェクション１１Ａのプロジェクタ１２Ａの設置位置と対面する対向面部１４Ａと、リアプロジェクション１１Ｃのプロジェクタ１２Ｃの設置位置と対面する対向面部１４Ｃとは互いに接合して配置されている。同様に、リアプロジェクション１１Ｂのプロジェクタ１２Ｂの設置位置と対面する対向面部１４Ｂと、リアプロジェクション１１Ｄのプロジェクタ１２Ｄの設置位置と対面する対向面部１４Ｄとが互いに接合して配置されている。
【００３４】
第２の実施の形態によれば、プロジェクタ１２Ａ〜１２Ｄは、横方向の異なる筐体のスクリーン１３Ａ〜１３Ｄに投影するので、第１の実施の形態と同様に、プロジェクタ１２Ａ〜１２Ｄからスクリーン１３Ａ〜１３Ｄまでの投影距離が長くなり、筐体を大きくしなくても映像情報を拡大できる。また、リアプロジェクションのプロジェクタの設置位置と対面する対向面部とが互いに接合して配置されているので、対面するリアプロジェクションのプロジェクタは互いに遠い位置になり対称性を保ちながら投影距離を大きくすることができる。また、プロジェクタからの投射方向は横方向に対称となっているので、プロジェクションユニット全体として見た場合に、バランスのとれた画像表示とすることができる。
【００３５】
（第３の実施の形態）図４は本発明の第３の実施の形態に係わるリアプロジェクションユニットの説明図であり、図４（ａ）は正面図、図４（ｂ）は側面図である。この第３の実施の形態は、図１に示した第１の実施の形態に対し、８個のリアプロジェクション１１Ａ〜１１Ｈを縦方向に４個および横方向に４個配置し、プロジェクタ１２Ａ〜１２Ｈは縦方向の２個先の筐体のスクリーン１３Ａ〜１３Ｈに投影するようにしたものである。
【００３６】
図４（ａ）の矢印で示すように、プロジェクタ１２Ａ（１２Ｂ）は２個先の筐体のスクリーン１３Ｃ（１３Ｄ）に投影し、プロジェクタ１２Ｅ（１２Ｆ）は２個先の筐体のスクリーン１３Ｇ（１３Ｈ）に投影する。同様に、プロジェクタ１２Ｃ（１２Ｄ）は２個先の筐体のスクリーン１３Ａ（１３Ｂ）に投影し、プロジェクタ１２Ｇ（１２Ｈ）は２個先の筐体のスクリーン１３Ｅ（１３Ｆ）に投影する。
【００３７】
また、リアプロジェクション１１Ｂのプロジェクタ１２Ｂの設置位置と対面する対向面部１４Ｂと、リアプロジェクション１１Ｃのプロジェクタ１２Ｃの設置位置と対面する対向面部１４Ｃとは互いに接合して配置されている。同様に、リアプロジェクション１１Ｆのプロジェクタ１２Ｆの設置位置と対面する対向面部１４Ｆと、リアプロジェクション１１Ｇのプロジェクタ１２Ｇの設置位置と対面する対向面部１４Ｇとが互いに接合して配置されている。
【００３８】
第３の実施の形態によれば、プロジェクタ１２Ａ〜１２Ｈは、縦方向の２個先の筐体のスクリーン１３Ａ〜１３Ｈに投影するので、プロジェクタ１２Ａ〜１２Ｈから投影するスクリーン１３Ａ〜１３Ｈまでの投影距離がさらに長くなり、筐体を大きくしなくても映像情報を拡大できる。また、リアプロジェクションのプロジェクタの設置位置と対面する対向面部とが互いに接合して配置されているので、対面するリアプロジェクションのプロジェクタは互いに遠い位置になり対称性を保ちながら投影距離を大きくすることができる。また、プロジェクタからの投射方向は縦方向に対称となっているので、プロジェクションユニット全体として見た場合に、バランスのとれた画像表示とすることができる。
【００３９】
以上の説明では、２個先の筐体のスクリーンに投影するようにしたが、リアプロジェクションの数が多い場合には、３個先や４個先のスクリーンに投影することも可能である。
【００４０】
（第４の実施の形態）図５は本発明の第４の実施の形態に係わるリアプロジェクションユニットの説明図である。この第４の実施の形態は、図４に示した第３の実施の形態に対し、４個のリアプロジェクション１１Ａ〜１１Ｄを横方向に４個配置し、プロジェクタ１２Ａ〜１２Ｄは横方向の２個先の筐体のスクリーン１３Ａ〜１３Ｄに投影するようにしたものである。
【００４１】
リアプロジェクション１１Ａ（１１Ｂ）のプロジェクタ１２Ａ（１２Ｂ）は、リアプロジェクション１１Ｃ（１１Ｄ）のスクリーン１３Ｃ（１３Ｄ）に投影する。同様に、リアプロジェクション１１Ｃ（１１Ｄ）のプロジェクタ１２Ｃ（１２Ｄ）は、リアプロジェクション１１Ａ（１１Ｂ）のスクリーン１３Ａ（１３Ｂ）に投影する。
【００４２】
また、リアプロジェクション１１Ｂのプロジェクタ１２Ｂの設置位置と対面する対向面部１４Ｂと、リアプロジェクション１１Ｃのプロジェクタ１２Ｃの設置位置と対面する対向面部１４Ｃとは互いに接合して配置されている。
【００４３】
第４の実施の形態によれば、プロジェクタ１２Ａ〜１２Ｄは、横方向の２個先の筐体のスクリーン１３Ａ〜１３Ｄに投影するので、第３の実施の形態と同様に、プロジェクタ１２Ａ〜１２Ｄからスクリーン１３Ａ〜１３Ｄまでの投影距離がさらに長くなり、筐体を大きくしなくても映像情報を拡大できる。また、リアプロジェクションのプロジェクタの設置位置と対面する対向面部とが互いに接合して配置されているので、対面するリアプロジェクションのプロジェクタは互いに遠い位置になり対称性を保ちながら投影距離を大きくすることができる。また、プロジェクタからの投射方向は横方向に対称となっているので、プロジェクションユニット全体として見た場合に、バランスのとれた画像表示とすることができる。
【００４４】
以上の説明では、２個先の筐体のスクリーンに投影するようにしたが、リアプロジェクションの数が多い場合には、３個先や４個先のスクリーンに投影することも可能である。
【００４５】
（第５の実施の形態）図６は本発明の第５の実施の形態に係わるリアプロジェクションユニットの説明図であり、図６（ａ）は、４個のリアプロジェクション１１Ａ〜１１Ｄを縦方向に２個、横方向に２個配置し、プロジェクタ１２Ａ〜１２Ｄは対角方向の異なる筐体のスクリーン１３Ａ〜１３Ｄに投影するようにしたものであり、図６（ｂ）は４個のリアプロジェクション１１Ａ〜１１Ｄを縦方向に２個、横方向に２個配置し、プロジェクタ１２Ａ〜１２Ｄは右回りで順番に隣の筐体のスクリーン１３Ａ〜１３Ｄに投影するようにしたものである。
【００４６】
図６（ａ）において、リアプロジェクション１１Ａ（１１Ｄ）のプロジェクタ１２Ａ（１２Ｄ）は、リアプロジェクション１１Ｄ（１１Ａ）のスクリーン１３Ｄ（１３Ａ）に投影する。同様に、リアプロジェクション１１Ｂ（１１Ｃ）のプロジェクタ１２Ｂ（１２Ｃ）は、リアプロジェクション１１Ｃ（１１Ｂ）のスクリーン１３Ｃ（１３Ｂ）に投影する。
【００４７】
図６（ｂ）において、リアプロジェクション１１Ａのプロジェクタ１２Ａは、リアプロジェクション１１Ｃのスクリーン１３Ｃに投影し、リアプロジェクション１１Ｃのプロジェクタ１２Ｃは、リアプロジェクション１１Ｄのスクリーン１３Ｄに投影する。また、リアプロジェクション１１Ｄのプロジェクタ１２Ｄは、リアプロジェクション１１Ｂのスクリーン１３Ｂに投影し、リアプロジェクション１１Ｂのプロジェクタ１２Ｂは、リアプロジェクション１１Ａのスクリーン１３Ａに投影する。
【００４８】
この第５の実施の形態の場合は、４個のリアプロジェクション１１Ａ〜１１Ｄのプロジェクタからの投射方向は４個のリアプロジェクション１１Ａ〜１１Ｄの中心点において点対称となるが、リアプロジェクションのプロジェクタの設置位置と対面する対向面部と、他のリアプロジェクションのプロジェクタの設置位置と対面する対向面部とが互いに接合する箇所がない。
【００４９】
第５の実施の形態によれば、プロジェクタ１２Ａ〜１２Ｄは、別のリアプロジェクション１１Ａ〜１１Ｄのスクリーン１３Ａ〜１３Ｄに投影するので、プロジェクタ１２Ａ〜１２Ｄからスクリーン１３Ａ〜１３Ｄまでの投影距離が長くなり、筐体を大きくしなくても映像情報を拡大できる。また、プロジェクタからの投射方向は点対称となっているので、プロジェクションユニット全体として見た場合に、バランスのとれた画像表示とすることができる。
【００５０】
以上の説明では、プロジェクタ１２Ａ〜１２Ｄは右回りで順番に隣の筐体のスクリーン１３Ａ〜１３Ｄに投影するようにしたが、左回りで順番に隣の筐体のスクリーン１３Ａ〜１３Ｄに投影するようにしても良い。
【００５１】
（第６の実施の形態）図７は本発明の第６の実施の形態に係わるリアプロジェクションユニットの説明図である。この第６の実施の形態は、９個のリアプロジェクション１１Ａ〜１１Ｉを縦方向に３個、横方向に３個配置したものである。
【００５２】
図７において、リアプロジェクション１１Ａのプロジェクタ１２Ａは、リアプロジェクション１１Ｄのスクリーン１３Ｄに投影し、リアプロジェクション１１Ｄのプロジェクタ１２Ｄは、リアプロジェクション１１Ｇのスクリーン１３Ｇに投影し、リアプロジェクション１１Ｇのプロジェクタ１２Ｇは、リアプロジェクション１１Ｈのスクリーン１３Ｈに投影し、リアプロジェクション１１Ｈのプロジェクタ１２Ｈは、リアプロジェクション１１Ｉのスクリーン１３Ｉに投影する。
【００５３】
さらに、リアプロジェクション１１Ｉのプロジェクタ１２Ｉは、リアプロジェクション１１Ｆのスクリーン１３Ｆに投影し、リアプロジェクション１１Ｆのプロジェクタ１２Ｆは、リアプロジェクション１１Ｃのスクリーン１３Ｃに投影し、リアプロジェクション１１Ｃのプロジェクタ１２Ｃは、リアプロジェクション１１Ｂのスクリーン１３Ｂに投影し、リアプロジェクション１１Ｂのプロジェクタ１２Ｂは、リアプロジェクション１１Ｅのスクリーン１３Ｅに投影する。そして、リアプロジェクション１１Ｅのプロジェクタ１２Ｅは、リアプロジェクション１１Ａのスクリーン１３Ａに投影する。
【００５４】
この第６の実施の形態の場合は、リアプロジェクション１１Ｅのプロジェクタ１２Ｅからリアプロジェクション１１Ａのスクリーン１３Ａへの投影のみが斜め方向となることから、９個のリアプロジェクション１１Ａ〜１１Ｉのプロジェクタ１２Ａ〜１２Ｉからの投射方向は対称とならない。また、リアプロジェクションのプロジェクタの設置位置と対面する対向面部と、他のリアプロジェクションのプロジェクタの設置位置と対面する対向面部とが互いに接合する箇所がない。
【００５５】
第６の実施の形態によれば、奇数個のリアプロジェクションを縦方向および横方向に組み合わせた場合には、プロジェクタ１２Ａ〜１２Ｉからの投影方向は対称とはならないが、異なる筐体のスクリーンへの投影は可能である。従って、プロジェクタ１２Ａ〜１２Ｄからスクリーン１３Ａ〜１３Ｄまでの投影距離を長くすることができ、筐体を大きくしなくても映像情報を拡大できる。
【００５６】
【発明の効果】請求項１の発明によれば、各々のプロジェクションのプロジェクタは、画像情報を含む光束を自己とは異なる別のプロジェクションのスクリーンに投影するので、筐体内に反射ミラーを設けなくても投影距離を大きくすることができる。従って、筐体を比較的容易に薄型構造とすることができる。
【００５７】
請求項２の発明によれば、プロジェクタからの投射方向を縦方向または横方向に対称とするので、プロジェクションユニット全体として見た場合に、バランスのとれた画像表示とすることができる。
【００５８】
請求項３の発明によれば、リアプロジェクションのプロジェクタの設置位置と対面する対向面部が互いに接合して配置するので、対面するリアプロジェクションのプロジェクタは互いに遠い位置になり対称性を保ちながら投影距離を大きくすることができる。
【図面の簡単な説明】
【図１】本発明の第１の実施の形態に係わるリアプロジェクションユニットの説明図。
【図２】本発明の実施の形態におけるリアプロジェクションの筐体内でのプロジェクタの配置位置の説明図。
【図３】本発明の第２の実施の形態に係わるリアプロジェクションユニットの説明図。
【図４】本発明の第３の実施の形態に係わるリアプロジェクションユニットの説明図。
【図５】本発明の第４の実施の形態に係わるリアプロジェクションユニットの説明図。
【図６】本発明の第５の実施の形態に係わるリアプロジェクションユニットの説明図。
【図７】本発明の第６の実施の形態に係わるリアプロジェクションユニットの説明図。
【符号の説明】１１…リアプロジェクション、１２…プロジェクタ、１３…スクリーン、１４…対向面部
【図１】
2004361751.tif 000003
【図２】
2004361751.tif 000004
【図３】
2004361751.tif 000005
【図４】
2004361751.tif 000006
【図５】
2004361751.tif 000007
【図６】
2004361751.tif 000008
【図７】
2004361751.tif 000009